(57)【要約】  【課題】  用紙搬送部に詰まった用紙を取り除きやすくすることにある。  【解決手段】  用紙を搬送する第１用紙搬送部６又は第２用紙搬送部２２に詰まった用紙を取り除くための機構であって、用紙巻き付け部材９１と、用紙除去機構９２とを備えている。用紙巻き付け部材９１は、第１用紙搬送部６又は第２用紙搬送部２２によって搬送される用紙の紙面と対向するように配置された第１側部９１１と、第１用紙搬送部６又は第２用紙搬送部２２によって用紙が搬送される際に用紙が通過可能な用紙搬送経路を挟んで第１側部９１１と対向するように配置された第２側部９１２と、第１側部９１１と第２側部９１２との間に用紙が位置している状態で用紙を第１側部９１１及び第２側部９１２に巻き付けるように回転することが可能なように第１側部９１１及び第２側部９１２を支持する回転部９１３とを有する。用紙除去機構２２は、用紙巻き付け部材９１の回転によって巻き付けられた用紙を用紙巻き取り部材９１から取り除くための機構である。【選択図】  図２
2009222864.tif 000002
【特許請求の範囲】
【請求項１】
用紙を搬送する用紙搬送部に詰まった用紙を取り除くための紙詰まり処理機構であって、
前記用紙搬送部によって搬送される用紙の紙面と対向するように配置された第１側部と、前記用紙搬送部によって用紙が搬送される際に用紙が通過可能な用紙搬送経路を挟んで前記第１側部と対向するように配置された第２側部と、前記第１側部と前記第２側部との間に用紙が位置している状態で用紙を前記第１側部及び前記第２側部に巻き付けるように回転することが可能なように前記第１側部及び前記第２側部を支持する回転部とを有する用紙巻き付け部材と、
前記用紙巻き付け部材の回転によって巻き付けられた用紙を前記用紙巻き付け部材から取り除くための用紙除去機構と、
を備えた紙詰まり処理機構。
【請求項２】
前記第１側部及び前記第２側部は前記用紙搬送部によって搬送される用紙の幅方向に伸びる部分であり、
前記回転部は、前記用紙搬送部によって搬送される用紙の幅方向に伸びる回転軸周りに前記第１側部及び前記第２側部を同時に回転させる、
請求項１に記載の紙詰まり処理機構。
【請求項３】
前記第１側部及び前記第２側部は、前記用紙搬送部によって搬送された用紙が前記第１側部と前記第２側部との間を通過するように用紙搬送をガイドするガイド部を有している、
請求項１又は２に記載の紙詰まり処理機構。
【請求項４】
前記用紙除去機構は、
前記用紙巻き付け部材に巻き付けられた用紙の端部に接触可能であり、前記第１側部及び前記第２側部の伸びる方向における前記第１側部及び前記第２側部の端部に配置された接触部材と、
前記接触部材を用紙の端部に接触させた状態で前記第１側部及び前記第２側部の伸びる方向に沿って移動させる接触部材移動機構とを有する、
請求項１から３のいずれかに記載の紙詰まり処理機構。
【請求項５】
前記第１側部及び前記第２側部は、前記用紙搬送部によって搬送される用紙と対向する板状部と、前記板状部に直交する方向に突出する突出部とを有しており、
前記接触部材は前記突出部と前記板状部との接続部分まで延びる接触突出部を有している、
請求項４に記載の紙詰まり処理機構。
【請求項６】
前記用紙搬送部は、用紙の搬送をガイドする用紙搬送ガイドを有しており、
前記接触部材は、前記接触部材移動機構によって移動させられる際に前記用紙搬送ガイドに接触するのを回避するための切り欠きを有している、
請求項４又は５に記載の紙詰まり処理機構。
【請求項７】
用紙処理命令に基づいて用紙の処理を行う用紙処理部と、
前記用紙処理部に用紙を搬送する用紙搬送部と、
請求項１から６のいずれかに記載の紙詰まり処理機構とを備えた、
用紙処理装置。
【請求項８】
用紙後処理命令に基づいて用紙の後処理動作を行う用紙後処理部と、
前記用紙後処理部に用紙を搬送する用紙搬送部と、
請求項１から６のいずれかに記載の紙詰まり処理機構とを備えた、
用紙後処理装置。
【請求項９】
用紙を搬送する用紙搬送部に詰まった用紙を取り除くための紙詰まり処理方法であって、
前記用紙搬送部に詰まった用紙の紙面と対向するように配置された第１側部と、詰まった用紙を挟んで前記第１側部と対向するように配置された第２側部とを、前記第１側部と前記第２側部との間に詰まった用紙が位置している状態で詰まった用紙を前記第１側部及び前記第２側部に巻き付けるように前記第１側部及び前記第２側部を回転させる用紙巻き付け工程と、
前記用紙巻き付け手段によって巻き付けられた用紙を前記第１側部及び第２側部から取り除く用紙除去工程と、
を備えた紙詰まり処理方法。
【発明の詳細な説明】
【技術分野】
【０００１】
本発明は、紙詰まり処理機構、用紙処理装置及び用紙後処理装置、特に、用紙搬送部の用紙詰まりを処理するための機構、紙詰まり処理機構を備えた用紙処理装置及び用紙後処理装置に関する。
【背景技術】
【０００２】
複写機や用紙の後処理装置などの用紙処理装置は、用紙の後処理動作や用紙上に画像を形成する動作等の用紙処理動作を行う用紙処理部と、用紙処理部に用紙を搬送可能な用紙搬送部とを備えている。また、用紙搬送部は、用紙の搬送をガイドする用紙搬送ガイドと、用紙を搬送するための複数の用紙搬送ローラとを有している。そして、用紙搬送部には詰まった用紙を取り除くために手を挿入可能な用紙除去スペースが設けられている。
この用紙処理装置では、用紙搬送部によって用紙処理部に用紙が搬送され、用紙処理部で用紙の処理が行われる（特許文献１参照）。
【０００３】
このような用紙処理装置では、紙詰まり（ＪＡＭ）が発生することがある。具体的には、例えば高い湿度などにより用紙の先端が曲がっているため、用紙を搬送する際に用紙の先端が用紙搬送部を構成する２つの用紙搬送ガイドの接続部分などに引っかかる場合がある。そして、用紙搬送ガイドに用紙の先端部が引っかかった状態で用紙搬送ローラが回転すると、折れ曲がった状態で用紙が用紙搬送部に詰まってしまう。
このように、用紙搬送部で用紙が詰まった場合には、用紙搬送ローラを手動で回転させ、詰まった用紙を用紙除去スペースに移動させる。そして、用紙除去スペースに手を挿入し、用紙除去スペースの用紙を取り除く。
【特許文献１】特開２００３−３００６５７号
【発明の開示】
【発明が解決しようとする課題】
【０００４】
用紙搬送部に用紙が詰まった場合には、用紙が折れ曲がることによって用紙搬送ローラと用紙とが接触しない状態になることがある。このような場合には用紙搬送ローラを回転させることで用紙を移動させることが難しいため、詰まった用紙を取り除くことが困難である。また、用紙を取り除くために手などが挿入可能なスペースを用紙搬送部に設ける必要があり、用紙除去のためのスペースによって装置が大型化してしまう。
【０００５】
本発明の課題は、用紙搬送部に詰まった用紙を取り除きやすくすることにある。また、本発明の別の課題は、用紙除去スペースを設けることに伴う装置の大型化を防止することにある。
【課題を解決するための手段】
【０００６】
発明１に係る紙詰まり処理機構は、用紙を搬送する用紙搬送部に詰まった用紙を取り除くための機構であって、用紙巻き付け部材と、用紙除去機構とを備えている。用紙巻き付け部材は、用紙搬送部によって搬送される用紙の紙面と対向するように配置された第１側部と、用紙搬送部によって用紙が搬送される際に用紙が通過可能な用紙搬送経路を挟んで第１側部と対向するように配置された第２側部と、第１側部と第２側部との間に用紙が位置している状態で用紙を第１側部及び第２側部に巻き付けるように回転することが可能なように第１側部及び第２側部を支持する回転部とを有する。用紙除去機構は、用紙巻き付け部材の回転によって巻き付けられた用紙を用紙巻き付け部材から取り除くための機構である。
【０００７】
用紙搬送部によって搬送される用紙が第１側部と第２側部との間を通過するために、用紙搬送部に用紙が詰まった状態では、詰まった用紙が第１側部と第２側部との間に位置している。この状態で回転部によって第１側部及び第２側部が回転させられると、用紙巻き付け部材によって用紙が第１側部および第２側部に巻き付けられる。そして、用紙除去機構によって用紙巻き付け部材から用紙が除去される。
【０００８】
ここでは、詰まった用紙を除去するために手を挿入可能な用紙除去スペースに用紙を搬送する動作や用紙除去スペースに手を挿入し用紙を除去する動作を行う必要がなくなる。このため、詰まった用紙を容易に取り除くことができる。また、用紙を取り除くために手を挿入可能なスペースを設ける必要がなく、用紙除去スペースを設けることに伴う装置の大型化を防止できる。
発明２に係る紙詰まり処理機構は、発明１に記載の紙詰まり処理機構であって、第１側部及び第２側部は用紙搬送部によって搬送される用紙の幅方向に伸びる部分である。回転部は、用紙搬送部によって搬送される用紙の幅方向に伸びる回転軸周りに第１側部及び第２側部を同時に回転させる。
【０００９】
ここでは、第１側部及び第２側部が搬送される用紙の幅方向に伸びているため、第１側部と第２側部との間を用紙が通過しやすくなる。このため、用紙搬送部に用紙が詰まった状態において第１側部と第２側部との間に用紙を位置させやすくなる。第１側部及び第２側部に用紙が引っかかるのを防止できる。
発明３に係る紙詰まり処理機構は、発明1または２に記載の紙詰まり処理機構であって、第１側部及び第２側部は用紙搬送部によって搬送された用紙が第１側部と第２側部との間を通過するように用紙搬送をガイドするガイド部を有している。
【００１０】
ここでは、第１側部と第２側部との間を用紙が通過しやすくなる。このため、紙詰まりが生じた際に第１側部と第２側部との間に詰まった用紙が位置しやすくなる。
発明４に係る紙詰まり処理機構は、発明１から３のいずれかに記載の紙詰まり処理機構であって、用紙除去機構は、用紙巻き付け部材に巻き付けられた用紙の端部に接触可能であり、第１側部及び第２側部の伸びる方向における第１側部及び第２側部の端部に配置された接触部材と、接触部材を用紙の端部に接触させた状態で第１側部及び第２側部の伸びる方向に沿って移動させる接触部材移動機構とを有する。
【００１１】
この紙詰まり処理機構では、用紙巻き付け部材に巻き付けられた用紙の端部に接触部材が接触させられた状態で、第１側部及び第２側部の伸びる方向に沿って接触部材移動機構によって接触部材が移動させられる。用紙巻き付け部材に巻き付けられた用紙が接触部材の移動に伴って用紙巻き付け部材から取り除かれる。
【００１２】
ここでは、用紙巻き付け部材から用紙を容易に取り除くことができる。
発明５に係る紙詰まり処理機構は、発明４に記載の紙詰まり処理機構であって、第１側部及び第２側部は、用紙搬送部によって搬送される用紙と対向する板状部と、板状部に直交する方向に突出する突出部とを有している。接触部材は突出部と板状部との接続部分まで延びる接触突出部を有している。
【００１３】
ここでは、突出部が板状部に直交する方向に突出しているために、用紙巻き付け部材に巻き付けられた用紙と板状部との間に隙間が形成されやすくなる。そして、接触突出部は、板状部と突出部との接続部分まで延びているため、用紙巻き付け部材に巻き付けられた用紙の端部に接触しやすくなる。このため、用紙巻き付け部材に巻き付けられた用紙を取り除きやすくなる。
発明６に係る紙詰まり処理機構は、発明４または５に記載の紙詰まり処理機構であって、用紙搬送部は、用紙の搬送をガイドする用紙搬送ガイドを有している。接触部材は、接触部材移動機構によって移動させられる際に用紙搬送ガイドに接触するのを回避するための切り欠きを有している。
【００１４】
ここでは、切り欠きによって接触部材が用紙搬送ガイドに接触するのを回避することができる。このため、接触部材の移動が用紙搬送ガイドによって妨げられにくくなる。
【００１５】
発明７に係る用紙処理装置は、用紙処理命令に基づいて用紙の処理を行う用紙処理部と、用紙処理部に用紙を搬送する用紙搬送部と、請求項１から６のいずれかに記載の紙詰まり処理機構とを備えている。
【００１６】
発明８に係る用紙処理装置は、用紙の後処理命令に基づいて用紙の後処理を行う用紙後処理部と、用紙後処理部に用紙を搬送する用紙搬送部と、請求項１から６のいずれかに記載の紙つまり処理機構とを備えている。
【００１７】
発明９に係る紙詰まり処理方法は、用紙を搬送する用紙搬送部に詰まった用紙を取り除くための紙詰まり処理方法であって、用紙巻き付け工程と、用紙除去工程とを備えている。用紙巻き付け工程は、用紙搬送部に詰まった用紙の紙面と対向するように配置された第１側部と、詰まった用紙を挟んで第１側部と対向するように配置された第２側部とを、第１側部と第２側部との間に詰まった用紙が位置している状態で詰まった用紙を第１側部及び第２側部に巻き付けるように第１側部及び第２側部を回転させる。用紙除去工程は、用紙巻き付け手段によって巻き付けられた用紙を第１側部及び第２側部から取り除く。
【発明の効果】
【００１８】
本発明では、用紙搬送部に詰まった用紙を取り除きやすくすることができる。また本発明では、用紙除去スペースを設置することに伴う装置の大型化を防止することができる。
【発明を実施するための最良の形態】
【００１９】
［全体構成］
以下に本発明の一実施形態に係る用紙処理装置としての複合機１及び用紙処理装置２について図１を参照して説明する。ここで、図１は本発明に係る複合機１及び用紙後処理装置２を示すものである。この複合機１は、外部のコンピュータなどに接続され、原稿から読み取られた画像情報又はコンピュータから送られる画像情報に基づいて用紙上に画像を形成することができる。また、この複合機１にはステイプル処理を行うための用紙後処理装置２が取り付けられている。
【００２０】
［複合機］
複合機１は原稿を複写する機能や原稿の画像情報を送信する機能等の様々な機能を有している。複合機１は、図１に示すように、原稿読み取り部３と、画像形成部４（用紙処理部）と、用紙収納部５と、第１用紙搬送部６と、定着部７と、第１排出部８とを備えている。以下に各機能部の構成について説明する。
【００２１】
｛原稿読み取り部｝
原稿読み取り部３は原稿の画像情報を読み取るための部分である。また、原稿読み取り部３は複合機１の上部に配置されている。
【００２２】
｛画像形成部｝
画像形成部４は画像情報に基づいて用紙上に画像を形成するための部分である。また画像形成部４は用紙収納部５と原稿読み取り部３との間に配置されている。さらに画像形成部４は、４つの画像形成ユニット４０と、転写装置４８とを有している。４つの画像形成ユニット４０は１列に並べて配置されている。また４つの画像形成ユニット４０は、それぞれ、感光体ドラム４１と、帯電装置４２と、レーザユニット４３と、現像装置４４と、トナー収納部４５と、除電装置４６と、クリーニング装置４７とを有している。そして、４つの画像形成ユニット４０は、図１の左側から順にイエロー、マゼンタ、シアン、ブラックのトナー像を形成可能である。なお、各画像形成ユニット４０は互いに同様の構成である。以下イエローの画像形成ユニット４０の構成について説明する。
【００２３】
感光体ドラム４１は表面に静電潜像を担持可能な部材である。また、感光体ドラム４１は図１の紙面に垂直に伸びる回転軸周りに回転可能である。
【００２４】
帯電装置４２は感光体ドラム４１の表面を一様に帯電させるための装置である。また、帯電装置４２は感光体ドラム４１の下側に配置されている。
【００２５】
レーザユニット４３は感光体ドラム４１の表面に画像情報に基づいてレーザ光を照射するための装置である。またレーザユニット４３は感光体ドラム４１の下側に配置されている。
【００２６】
現像装置４４は静電潜像に現像剤を供給可能な装置である。また、各現像装置４４はそれぞれのレーザユニット４３の上側に配置されている。さらに現像装置４４は、内部に各感光体ドラム４１に対応する色の現像剤を収納可能な現像容器４４１と、現像容器４４１に取り付けられた現像ローラ４４２とを有している。現像ローラ４４２は感光体ドラム４１に対向するように配置されている。
【００２７】
トナー収納部４５は現像装置４４に供給可能なトナーを収納する部分である。トナー収納部４５は各現像装置４４の色に対応するトナーを収納可能なトナーコンテナ４５１を有している。トナーコンテナ４５１は図示しない補給路によって現像装置４４に接続されている。
【００２８】
除電装置４６は感光体ドラム４１の表面の電荷を除去するための装置である。また、除電装置４６は感光体ドラム４１の下側に配置されている。
【００２９】
クリーニング装置４７は現像動作に使用されずに感光体ドラム４１上に残留した現像剤をクリーニングするための装置である。クリーニング装置４７は、感光体ドラム４１の表面に接触するブレード部材４７１と、ブレード部材４７１によって掻き取ったトナーを収納可能な排現像剤収納容器４７２とを有している。
【００３０】
転写装置４８は用紙に画像を転写するための装置である。また転写装置４８は、転写ベルト４８１と、１次転写ローラ４８２と、２次転写ローラ４８３と、ベルトクリーニング装置４８４とを備えている。
転写ベルト４８１は画像を一時的に担持可能な部材である。また、転写ベルト４８１は感光体ドラム４１から画像が１次転写される部材である。さらに転写ベルト４８１は感光体ドラム４１の上側に配置されている。転写ベルト４８１は環状に形成された帯状の部材である。そして、転写ベルト４８１は２つのローラに掛け渡されている。転写ベルト４８１は後述する第１用紙搬送部６の用紙搬送経路の近傍まで延びている。
１次転写ローラ４８２は感光体ドラム４１上の画像を転写ベルト４８１上に移動させるための部材である。また１次転写ローラ４８２は転写ベルト４８１を挟んで感光体ドラム４１に対向するように配置されている。具体的には、１次転写ローラ４８２は転写ベルト４８１の内周側に配置されている。さらに１次転写ローラ４８２は図示しない電圧印加装置に接続されている。
２次転写ローラ４８３は感光体ドラム４１から転写ベルト４８１に１次転写された画像を用紙に転写するための部材である。また２次転写ローラ４８３は第１用紙搬送部６の用紙搬送経路を挟んで転写ベルト４８１に対向するように配置されている。そして２次転写ローラ４８３は図示しない電圧印加装置に接続されている。
ベルトクリーニング装置４８４は２次転写の際に用紙に転写されずに転写ベルト４８１上に残留したトナーを転写ベルト４８１上からクリーニングするための装置である。また、ベルトクリーニング装置４８４は、転写ベルト４８１に接触可能なブレード４８４ａと、ブレード４８４ａによって掻き取ったトナーを収納するための排トナー収納容器４８４ｂとを有している。
【００３１】
｛用紙収納部｝
用紙収納部５は用紙を収納するための部分である。また、用紙収納部５は複合機１の下部に配置されている。さらに用紙収納部５は複数の給紙カセット５１を有している。各給紙カセット５１にはそれぞれ異なる種類（サイズなど）の用紙が収納されている。また、複数の給紙カセット５１は積み重ねて配置されている。
【００３２】
｛第１用紙搬送部｝
第１用紙搬送部６は各機能部に用紙を搬送するための部分である。第１用紙搬送部６は、用紙収納部５、画像形成部４、定着部７、第１排出部８の順に用紙を搬送する用紙搬送経路を有している。また第１用紙搬送部６は、第１用紙搬送ガイド対６１と、複数の第１用紙搬送ローラ対６２と、紙詰まり処理機構９とを有している。ここで、紙詰まり処理機構９については後に詳述する。
第１用紙搬送ガイド対６１は用紙の搬送方向をガイドするための部材である。第１用紙搬送ガイド対６１は、互いに対向するように配置された板状の部材を有している。そして、これらの板状の部材の間を用紙が通過可能になっている。さらに、第１用紙搬送ガイド対６１は、図２又は図３に示すように、用紙搬送方向上流側（図２又は図３の右側）、すなわち用紙が搬送されてくる方向側の端部が互いに離れるように傾けられている。言い換えると、用紙の搬送方向上流側端部が開く、すなわち搬送される用紙の紙面に直交する方向の幅が徐々に広くなるように形成されている。ここで、用紙は図３の右側から左側に向かって搬送される。
第１用紙搬送ローラ対６２は用紙搬送方向に用紙を搬送するための部材である。また、第１用紙搬送ローラ対６２はそれぞれ対向するように配置されている。
【００３３】
｛定着部｝
定着部７は用紙上に形成された画像を用紙に定着させるための部分である。また定着部７は画像形成部４の用紙搬送方向下流側に配置された部分である。そして、定着部７は、加熱ローラ７１と、加圧ローラ７２とを有している。加熱ローラ７１は用紙上の画像を加熱するためのローラである。加圧ローラ７２は加熱ローラ７１に対向するように配置されたローラである。また加圧ローラ７２は用紙上の画像が用紙に定着するように加圧するための部材である。
【００３４】
｛第１排出部｝
第１排出部８は用紙を複合機１の外部に排出するための部分である。また、第１排出部８は定着部７の用紙搬送方向下流側に配置されている。そして、第１排出部８は、第１排出ローラ８１を有している。第１排出部８は原稿読み取り部３の下側に配置されている。第１排出部８は複合機１の図１における左側の側面から右方に向かって窪む凹部８２をさらに有している。なお、複合機１では具体的には用紙は凹部８２に排出される。
［用紙後処理装置］
用紙後処理装置２は複合機１などから排出された用紙の後処理、本実施形態ではステイプル処理を行うための装置である。また、用紙後処理装置２は複合機１に取り付け可能な装置である。さらに用紙後処理装置２は、用紙進入部２１と、第２用紙搬送部２２と、ステイプル処理部２３（用紙後処理部）と、第２排出部２４と、排出トレイ２５とを備えている。以下に用紙後処理装置２の各機能部について説明する。
【００３５】
｛用紙進入部｝
用紙進入部２１は複合機１から排出された用紙が進入可能な部分である。また、用紙進入部２１は用紙後処理装置２の図１における右側の側面から右方に向かって突出する部分である。より詳しくは、用紙進入部２１は複合機１の第１排出部８の凹部８２に向かって突出している。さらに、用紙進入部２１には第１排出部８から排出された用紙が通過可能な用紙進入口２１１が先端に形成されている。このため、第１排出部８から排出された用紙は用紙進入口２１１に進入する。
【００３６】
｛第２用紙搬送部｝
第２用紙搬送部２２はステイプル処理部２３や第２排出部２４に用紙を搬送するための部分である。第２用紙搬送部２２は、複数の第２用紙搬送ガイド対２２１と、複数の第２用紙搬送ローラ対２２２と、紙詰まり処理機構９とを有している。第２用紙搬送部２２は、用紙進入口２１１から第２排出部２４に用紙を搬送する用紙搬送経路と、用紙進入口２１１からステイプル処理部２３を介して第２排出部２４に用紙を搬送する際の搬送経路とを有している。なお、紙詰まり処理機構９については後に詳述する。
第２用紙搬送ガイド対２２１は用紙の搬送をガイドするための部材である。また、第２用紙搬送ガイド対２２１は用紙の搬送経路を挟んで対向するように配置された板状の部材を有している。さらに、第２用紙搬送ガイド対２２１は、用紙搬送方向上流側、言い換えると用紙が搬送されてくる方向側の端部が互いに離れるように傾けられている。
第２用紙搬送ローラ対２２２は用紙搬送方向において隣り合う２つの第２用紙搬送ガイド対２２１の間に配置されている。また、第２用紙搬送ローラ対２２２はそれぞれ対向するように配置されたローラを有している。
【００３７】
｛ステイプル処理部｝
ステイプル処理部２３は複数の用紙をステイプル処理するための部分である。また、ステイプル処理部２３は、保持トレイ２３１と、第１ベルト２３２と、ステイプラー２３３とを有している。
【００３８】
保持トレイ２３１はステイプル処理がなされる用紙を一時的に積載可能な部材である。また保持トレイ２３１は鉛直方向に対して所定の角度だけ傾けられた板状の部材である。また、保持トレイ２３１は下部に用紙の端部を支持する支持板２３１ａが形成されている。さらに、保持トレイ２３１の近傍には図示しない幅合わせ機構が配置されている。この幅合わせ機構によって保持トレイ２３１上に積載された用紙が幅合わせされる。
【００３９】
第１ベルト２３２は保持トレイ２３１に保持されているステイプル処理後の用紙束を第２排出部２４に搬送するための部材である。また、第１ベルト２３２は保持トレイ２３１の用紙を保持する側の逆側の面に取り付けられている。さらに、第１ベルト２３２は、環状の無端ベルトと、無端ベルトが掛け渡される２つのベルト保持ローラとを有している。
【００４０】
ステイプラー２３３は保持トレイ２３１に保持されている用紙束をステイプルによって綴じるための部分である。また、ステイプラー２３３は保持トレイ２３１の近傍に配置されている。
【００４１】
｛第２排出部｝
第２排出部２４は第２用紙搬送部２２によって搬送されてきた用紙を用紙後処理装置２外に排出するための部分である。第２排出部２４は第２用紙搬送部２２の端部に設けられている。さらに第２排出部２４は用紙を用紙後処理装置２外に排出するための第２排出ローラ対２４１を有している。
【００４２】
｛排出トレイ｝
排出トレイ２５は複数の用紙を載置可能な部材である。排出トレイ２５は第２排出部２４に接続されている。また、排出トレイ２５はそれぞれ用紙後処理装置２の図１の左側の側面から左方に突出するように取り付けられている。さらに排出トレイ２５は鉛直方向よりも傾けて配置された板状の部材である。そして、排出トレイ２５は積載された用紙の重量に応じて高さ位置を変化させる。
【００４３】
［紙詰まり処理機構］
紙詰まり処理機構９は第１用紙搬送部６又は第２用紙搬送部２２に詰まった用紙を取り除くための機構である。また、紙詰まり処理機構９は、図１に示すように、本実施形態では第１用紙搬送部６の第１排出部８の近傍及び用紙進入部２１内の第２用紙搬送部２２等に配置されている。さらに、紙詰まり処理機構９は、第１用紙搬送ローラ対６２と第１排出ローラ８１との間又は隣り合う２つの第２用紙搬送ローラ対２２２の間に配置されている。そして、紙詰まり処理機構９は、図２及び図３に示すように、用紙巻き付け部材９１と、用紙除去機構９２とを備えている。なお、いずれの紙詰まり処理機構９も同様の構成であり、以下では第１用紙搬送部６に配置された紙詰まり処理機構９について説明する。
【００４４】
｛用紙巻き付け部材｝
用紙巻き付け部材９１は第１用紙搬送部６に詰まった用紙を巻き付けるための部材である。用紙巻き付け部材９１は、第１側部９１１と、第２側部９１２と、回転部９１３とを有している。なお、用紙巻き付け部材９１は、詰まっている用紙を完全に巻き付ける必要はなく、用紙搬送の妨げとならない限り第１用紙搬送部６に用紙の一部が残留していても良い。
第１側部９１１は第１用紙搬送部６によって搬送される用紙の画像形成が行われる面の逆側の面に対向するように配置されている。また第１側部９１１は第１用紙搬送部６によって搬送される用紙の幅方向に伸びている。そして、第１側部９１１は、第１用紙搬送ガイド対６１の幅、すなわち図３の紙面に直交する方向の長さよりも長い。このため、第１側部９１１は図３の紙面に直交する方向において第１用紙搬送ガイド対６１から第１側部９１１の伸びる方向に突出している。さらに第１側部９１１は、図４に示すように、第１板状部９１１ａと、第１突出部９１１ｂとを有している。なお、ここで用紙の幅方向とは、図３の紙面に直交する方向、すなわち用紙搬送方向に略直交する方向を意味する。
第１板状部９１１ａは第１用紙搬送部６によって搬送される用紙と略平行に設けられた部分である。また第１板状部９１１ａの第１端部９１１ｃには円柱表面の一部のような曲面状の部分が形成されている。さらに、第１板状部９１１ａの第１用紙搬送部６によって搬送される用紙と対向する面は平面状になっている。そして、第１板状部９１１ａの第２端部９１１ｄにはテーパ状の第1ガイド部９１１ｅが形成されている。第1ガイド部９１１ｅは用紙搬送方向に対して傾けて形成された斜面状の部分である。なお、この第1ガイド部９１１ｅは第１用紙搬送部６によって搬送された用紙が第1側部９１１と第２側部９１２との間を通過するように用紙の搬送をガイドするための部分である。
第１突出部９１１ｂは第１板状部９１１ａに略直交する方向、具体的には図４の上方向に突出する部分である。より詳しくは、第１突出部９１１ｂは第２側部９１２が配置されている側の逆側に向かって突出している。さらに第１突出部９１１ｂは曲面状の部分９１１ｆを有している。そして、第１突出部９１１ｂは第１板状部９１１ａの第２端部９１１ｄ側に配置されている。
第２側部９１２は第１用紙搬送部６によって搬送される用紙の搬送経路を挟んで第１側部９１１と対向するように配置されている。また第２側部９１２は第１側部９１１と平行に伸びている。そして、図３の紙面に直交する方向において第２側部９１２は第１側部９１１と同じ長さである。さらに第２側部９１２は、図４に示すように、第２板状部９１２ａと、第２突出部９１２ｂとを有している。
第２板状部９１２ａは第１用紙搬送部６によって搬送される用紙と略平行に設けられた部分である。また第２板状部９１２ａは第１板状部９１１ａとの間の間隔が第１用紙搬送ガイド対６１の幅と同じになるように配置されている。さらに第２板状部９１２ａの第１端部９１２ｃには円柱表面の一部のような曲面状の部分が形成されている。そして、第２板状部ａの第２端部９１２ｄにはテーパ状の第２ガイド部９１２ｅが形成されている。第２ガイド部９１２ｅは上流側が用紙搬送方向に対して傾くように形成された斜面状の部分である。なお、この第２ガイド部９１２ｅは第１用紙搬送部６によって搬送された用紙が第1側部９１１と第２側部９１２との間を通過するように用紙の搬送をガイドするための部分である。
第２突出部９１２ｂは第２板状部９１２ａに略直交する方向に突出する部分である。より詳しくは、第２突出部９１２ｂは第１側部９１１が配置されている側の逆側に向かって突出している。また第２突出部９１２ｂは曲面状の部分９１２ｆを有している。そして、第２突出部９１２ｂは第２板状部９１２ａの第２端部９１２ｄ側に配置されている。
【００４５】
回転部９１３は用紙が詰まった際に用紙を巻き付けるように第１側部９１１と第２側部９１２との間に用紙が位置している状態で第１側部９１１及び第２側部９１２を回転させる部分である。また回転部９１３は第１側部９１１及び第２側部９１２の図３の紙面奥側の端部に配置されている。詳細には、図１の紙面に直交する方向において第１用紙搬送ガイド６１よりも図１の紙面奥側に配置されている。さらに回転部９１３は円柱状の部分を有している。そして、回転部９１３は第１用紙搬送部６によって搬送される用紙の幅方向に伸びる回転軸周りに第１側部９１１及び第２側部９１２を同時に回転させる。回転部９１３の回転軸は回転部９１３の中心を通っている。また、回転部９１３の回転軸は、延長すると第１側部９１１と第２側部９１２との間を通過するようになっている。そして、この回転部９１３には回転部９１３を回転させるための図示しないモータが取り付けられている。なお、本実施形態ではモータを回転部９１３に取り付けたが、モータとギアなどとを用いた駆動系列または、他の部材、例えば定着部７の加熱ローラ７１を駆動させるために設けられた動力源の動力を用いても良く、手動で回転させても良い。
【００４６】
｛用紙除去機構｝
用紙除去機構９２は用紙巻き付け部材９１に巻き付けられた用紙を除去するための機構である。用紙除去機構９２は用紙巻き付け部材９１の周囲に設けられている。さらに用紙除去機構９２は、図２又は図３に示すように、接触部材９２１と、接触部材移動機構９２２とを有している。
【００４７】
接触部材９２１は用紙巻き付け部材９１に巻き付けられた用紙を押し出すための部材である。図５は接触部材９２１の全体図である。図５を参照して接触部材９２１について説明する。接触部材９２１は環状の部材である。接触部材９２１は内周側に第１側部９１１及び第２側部９１２を配置可能である。そして、接触部材９２１は外周から内周に向かって突出する第１接触突出部９２１ａと、第２接触突出部９２１ｄとを有している。第１接触突出部９２１ａは外周から第１板状部９１１ａと第１突出部９１１ｂとの接続部分まで延びている。また、第２接触突出部９２１ｄは外周から第２板状部９１２ａと第２突出部９１２ｂとの接続部分まで延びている。さらに接触部材９２１には第１搬送ガイド対６１が通過可能な切り欠き９２１ｂが形成されている。すなわち、切り欠き９２１ｂは第１搬送ガイド対６１の板状の部材の間隔よりも大きくなっている。このため、用紙を押し出す際に第１搬送ガイド対６１と接触部材９２１とは干渉しない。そして、接触部材９２１はさらに第１搬送ガイド対６１の間を通過可能な細板部９２１ｃを有している。この細板部９２１ｃは切り欠き９２１ｂが用紙搬送路に位置している状態で切り欠き９２１ｂの用紙搬送方向において逆側に位置するように設けられている。また、細板部９２１ｃは外方に向かって幅が徐々に細くなっている。接触部材９２１は第１側部９１１及び第２側部９１２の伸びる方向に移動自在になっている。第１用紙搬送部６が用紙を搬送している状態では、接触部材９２１は第１側部９１１及び第２側部９１２の端部に配置されている。具体的には図３の紙面の奥側の端部に配置されている。このため、接触部材９２１は用紙の搬送を妨げない。
【００４８】
接触部材移動機構９２２は接触部材９２１を第１側部９１１及び第２側部９１２の伸びる方向、言い換えると第１側部９１１及び第２側部９１２の長手方向に沿って移動させる機構である。より詳細には、接触部材移動機構９２２は接触部材９２１を第１側部９１１及び第２側部９１２の図３の紙面奥側端部から紙面手前側端部まで移動させる。このため、接触部材９２１の移動に伴って第１用紙搬送部６の用紙搬送経路から用紙が押し出される。また接触部材移動機構９２２は、図示しない１対のモータと、図６に示すように、１対の第１プーリ９２２ａと、１対の第２プーリ９２２ｂと、１対の第２ベルト９２２ｃと、１対の支持部材９２２ｄとを有している。
【００４９】
第１プーリ９２２ａはモータに接続された部材である。また第１プーリ９２２ａはモータの回転に伴って回転させられる。さらに第１プーリ９２２ａは第１側部９１１及び第２側部９１２の伸びる方向における端部に配置されている。第１プーリ９２２ａは、詳細には図３の紙面奥側（図６の右側）に配置されている。そして、１対の第１プーリ９２２ａは用紙巻き付け部材９１を挟んで対向するように配置されている。
【００５０】
第２プーリ９２２ｂは第１プーリ９２２ａと並行に配置されている。また第２プーリ９２２ｂは第１側部９１１及び第２側部９１２の図３の紙面手前側（図６の左側）の端部の近傍に配置されている。そして、１対の第２プーリ９２２ｂは用紙巻き付け部材９１を挟んで対向するように配置されている。さらに第２プーリ９２２ｂには第１プーリ９２２ａの動力が第２ベルト９２２ｃを介して伝達される。このため、第２プーリ９２２ｂは第１プーリ９２２ａの回転に伴って回転する。第２プーリ９２２ｂの回転中心と第１プーリ９２２ａの回転中心とを結ぶ直線は図３の紙面に直交する方向、すなわち用紙の幅方向と平行になっている。
【００５１】
第２ベルト９２２ｃは環状の部材である。また第２ベルト９２２ｃは帯状の部材である。そして、第２ベルト９２２ｃは第１プーリ９２２ａ及び第２プーリ９２２ｂに掛け渡されている。
【００５２】
支持部材９２２ｄは接触部材９２１を支持する部材である。また支持部材９２２ｄは第２ベルト９２２ｃに取り付けられている。さらに支持部材９２２ｄは板状の部材である。支持部材９２２ｄは、接触部材９２１の上側を支持する上側支持部９２２ｆと、接触部材９２１の下側を支持する下側支持部９２２ｇとを有している。そして、上側支持部９２２ｆ及び下側支持部９２２ｇには接触部材９２１を狭持するためのスリットが設けられている。支持部材９２２ｄには第１側部９１１及び第２側部９１２との接触を回避するための円弧状の切り欠き部分９２２ｈが設けられている。
【００５３】
［動作］
次に複合機１及び用紙後処理装置２の動作について説明する。
原稿読み取り部３によって原稿の画像情報が読み取られる又は複合機１の外部に接続されたコンピュータから画像情報が送られると、画像情報に基づいて感光体ドラム４１上に静電潜像が形成される。具体的には、帯電装置４２によって感光体ドラム４１の表面が帯電させられ、画像情報に基づいてレーザユニット４３から感光体ドラム４１にレーザ光が照射される。このようにして感光体ドラム４１上に静電潜像が形成されると、現像装置４４の現像ローラ４４２から現像剤が静電潜像に供給される。現像装置４４から現像剤が供給されると感光体ドラム４１上にトナー像が形成される。そして、各感光体ドラム４１上のトナー像が重ね合わせられながら転写ベルト４８１に転写され、カラー画像が転写ベルト４８１上に形成される。その後、転写ベルト４８１上のカラー画像が第１用紙搬送部６によって搬送された用紙に転写される。トナー像が表面に転写された用紙は第１用紙搬送部６によって定着部７まで搬送される。定着部７でトナー像が用紙に定着された後、第１排出部８に搬送される。第１排出部８に搬送された用紙は複合機１外に排出される。
【００５４】
第１排出部８から排出された用紙は、用紙進入口２１１から用紙後処理装置２の内部に進入させられる。用紙後処理装置２に進入させられた用紙は、ステイプル処理命令がなされていない場合には第２排出部２４に搬送される。一方、ステイプル処理命令がなされている場合には、ステイプル処理を実行するために第２用紙搬送部２２によってステイプル処理部２３に用紙が搬送される。ステイプル処理部２３に搬送された用紙は、保持トレイ２３１に保持され、幅合わせがなされる。そして、ステイプラー２３３によってステイプル綴じがなされ、第１ベルト２３２によって第２排出部２４に搬送される。第２排出部２４に搬送されると、第２排出部２４から用紙が排出トレイ２５に排出される。
【００５５】
［ＪＡＭ処理動作］
第１用紙搬送部６の第１排出部８の近傍又は用紙進入部２１内の第２用紙搬送部２２などで紙詰まり（ＪＡＭ）が生じ、紙詰まりが検知されると、以下のような紙詰まり処理動作がなされる。紙詰まりの際には第１側部９１１と第２側部９１２との間に用紙が位置している。この状態で用紙巻き付け部材９１が回転させられる。具体的には、図示しないモータによって回転部９１３が回転させられ、回転部９１３の回転に伴って第１側部９１１及び第２側部９１２が回転軸周りに回転させられる。この回転に伴って第１用紙搬送部６に詰まっている用紙が第１側部９１１及び第２側部９１２の周囲に巻き付けられる。このとき、図４に示すように、第１突出部９１１ｂと第２突出部９１２ｂとによって、第１板状部９１１ａ及び第２板状部９１２ａと用紙との間には隙間が形成されている。なお、図４の二点鎖線は用紙を示している。
【００５６】
その後、接触部材９２１の位置が第１側部９１１及び第２側部９１２の図３の紙面奥側の端部に位置しているかが判断される。接触部材９２１の位置が第１側部９１１及び第２側部９１２の図３の紙面奥側の端部でない場合には、接触部材９２１を第１側部９１１及び第２側部９１２の図３の紙面奥側の端部に位置するように移動させる。次に接触部材９２１の切り欠き９２１ｂが第１用紙搬送ガイド対６１の通過可能な位置に位置しているかが判断される。接触部材９２１の切り欠き９２１ｂが通過可能な位置に位置していない場合には、回転部９１３によって接触部材９２１が回転させられ、接触部材９２１の切り欠き９２１ｂが通過可能な位置に位置させられる。
【００５７】
上記の動作が終了すると、接触部材移動機構９２によって第１側部９１１及び第２側部９１２の伸びる方向に沿って接触部材９２１が移動させられる。具体的には、図示しないモータが回転し、第１プーリ９２２ａが回転させられる。この第１プーリ９２２ａの回転に伴って第２ベルト９２２ｃが循環させられる。このとき、第２ベルト９２２ｃに接続された支持部材９２２ｄが第１側部９１１及び第２側部９１２の伸びる方向に沿って移動させられる。支持部材９２２ｄの移動に伴って支持部材９２２ｄに支持されている接触部材９２１が第１側部９１１及び第２側部９１２の伸びる方向に移動させられる。この接触部材９２１の移動に伴って、用紙巻き付け部材９１の表面に巻き付けられた用紙の端部に接触突出部９２１ａが接触する。そして、図７に示すように、用紙巻き付け部材９１に巻き付けられている用紙が第１用紙搬送部６の用紙搬送経路外に押し出される。その後、接触部材９２１は第１側部９１１及び第２側部９１２の図３の紙面奥側の端部に移動させられる。そして、第１側部９１１及び第２側部９１２の図３の紙面奥側の端部に接触部材９２１が移動させられたことが検出される。接触部材９２１の移動が検出されると、ＪＡＭ処理動作が終了する。
【００５８】
［効果］
ここでは、ＪＡＭ処理の際に用紙巻き付け部材９１を回転させることで用紙巻き付け部材９１に詰まった用紙を巻きつけることができ、用紙除去機構９２によって用紙巻き付け部材９１から用紙を除去することができる。このため、第１用紙搬送部６に詰まった用紙を容易に除去することができる。すなわち、第１用紙搬送ローラ対６２又は第２用紙搬送ローラ対２２２を回転させることで用紙除去スペースに詰まった用紙を移動させる動作が不要になる。また用紙除去スペースに手を入れて詰まった用紙を取り除く動作が不要になる。
【００５９】
そして用紙を除去するための用紙除去スペースを設ける必要がなく、この用紙除去スペースを設けることに伴う装置の大型化を防止できる。
【００６０】
また、第１側部９１１及び第２側部９１２が搬送される用紙の幅方向に伸びているために詰まった用紙の少なくとも一部が第１側部９１１と第２側部９１２との間に位置させられる。このため、詰まった用紙を用紙巻き付け部材９１に巻き付けやすくなる。
そして、第１側部９１１の第１突出部９１１ｂ及び第２側部９１２の第２突出部９１２ｂが形成されているため、第１板状部９１１ａ及び第２板状部９１２ａと巻き付けられた用紙との間に隙間が形成される。このため、用紙の端部が接触突出部９２１ａに接触しやすくなり、巻き付け部材９１から用紙を取り除きやすくなる。
【００６１】
接触部材９２１に第１用紙搬送ガイド対６１が通過可能な切り欠き９２１ｂが形成されているため、接触部材９２１を第１側部９１１及び第２側部９１２の伸びる方向に移動させる際に第１搬送ガイド対６１及び第２用紙搬送ガイド対２２１が接触部材９２１の移動を妨げない。
【００６２】
上記紙詰まり処理動作は、紙詰まり発生後に装置によって自動的に行うようにしても良い。また、例えばユーザに紙詰まり状態であることを報知し、ユーザの命令を受けた後に行っても良い。
なお、上記実施形態は、本発明を説明するために用いたものであり、発明の範囲を逸脱しない限り、いかなる設計の変更や材料の変更なども許容するものとする。
【００６３】
［他の実施形態］
【００６４】
（A）上記実施形態では、接触部材移動機構９２は、第２ベルト９２２ｃ、モータ、第１プーリ９２２ａ、第２プーリ９２２ｂによって構成されているが、本発明はこれに限らずに、例えばラックとピニオンギアを用いた機構やワイヤチェーンを用いた機構であってもよい。
【００６５】
（B）また、上記実施形態では、複合機１について説明したが、本発明はこれに限らずに、用紙搬送を伴う機器、例えばファクシミリや複写機、プリンタなどであってもよい。
【００６６】
（C）さらに、上記実施形態では、第１用紙搬送部６の第１排出部８の近傍及び用紙進入部２１内の第２用紙搬送部２２等に紙詰まり処理機構９が配置されているが、本発明はこれに限らずに、用紙搬送部であればどの部分に配置されていてもよい。
【００６７】
なお、用紙搬送方向が変わる部分では紙詰まりが起こりやすいために有効である。
【００６８】
また用紙搬送部の物理的にスペースを設けるのが難しい位置、言い換えると狭い部分（例えば、本実施形態の用紙進入部２１）に配置することも有効である。これは、例えば本実施形態の用紙進入部２１のように物理的に手を挿入可能な用紙除去スペースを設けることが難しい形状の部分では用紙の除去作業を行いにくいためである。
【００６９】
（D）上記実施形態では、用紙巻き付け部材９１及び接触部材９２１をモータによって駆動させたが、本発明はこれに限らずに、手動で駆動させてもよく、また他の動力源を用いてもよい。
【００７０】
例えば、図８に示すように、接触部材移動機構９６は、接触部材９６１と、フレーム部材９６５とを有している。ここで、接触部材９６１については上記実施形態と同じ構成であるために説明を省略する。
【００７１】
フレーム部材９６５は接触部材９６１を移動させるための部材である。フレーム部材９６５は、用紙巻き付け部材９１の伸びる方向に沿って伸びる第１板状部材９６５ａと、第１板状部材９６５ａに対向するように配置された第２板状部材９６５ｂと、第１板状部材９６５ａと第２板状部材９６５ｂとに接続された第１支持部９６５ｃと、第１支持部９６５ｃに対向するように配置され接触部材９６１を支持する第２支持部９６５ｄと、第１板状部材９６５ａに接続された把持部９６５ｅとを有している。
【００７２】
第１支持部９６５ｃは第１板状部材９６５ａ及び第２板状部材９６５ｂに対して直交するように配置されている。また第１支持部９６５ｃには略中央に用紙巻き付け部材９１の端部が通過可能な円形の孔９６５ｆが形成されている。
第２支持部９６５ｄは、第１板状部材９６５ａに接続され接触部材９６１の上部を支持する部分と、第２板状部材９６５ｂに接続され接触部材９６１の下部を支持する部分とを有している。
【００７３】
把持部９６５ｅは、第１板状部材９６５ａの端部に接続され、第１用紙搬送部６によって搬送される用紙の幅方向に引き出し可能になっている。把持部９６５ｅを引き出すことで、第１板状部材９６５ａ及び第２板状部材９６５ｂと、第１支持部９６５ｃ及び第２支持部９６５ｄとを一度に引き出すことができる。このために、用紙巻き付け部材９１に用紙が巻き付けられた状態で把持部９６５ｅを引き出すことで詰まった用紙を除去することができる。
【００７４】
この場合にはモータやベルトなどを配置する必要がなく、省スペース化及びコストを低減させることができる。
【００７５】
（E）第１突出部９１１ｂ及び第２突出部９１２ｂの形状はこれに限らずに、図９に示すような先細形状の第１突出部９１１ｇ及び第２突出部９１１ｈや図１０に示すような半球状の第１突出部９１１ｉ及び第２突出部９１１ｊ、図１１に示すような三角柱状の第１突出部９１１ｋ及び第２突出部９１１ｍなどであってもよい。なお、この場合、接触部材９２１の内周形状は第１突出部及び第２突出部の形状に応じた形状となる。ここで、第１突出部と第２突出部とはそれぞれ同じ形状としたが、本発明はこれに限らず、第１突出部と第２突出部とが同じ形状でなくとも良い。
【００７６】
（F）さらに、上記実施形態で用いた用紙除去機構９２を用いずに、ユーザ自身が手で用紙巻き付け部材９１に巻き付けられた用紙を取り除くようにしても良い。この場合には、用紙除去機構９２を配置する必要がなく、コスト及びスペースの削減を図ることができる。また、用紙搬送部に手を挿入する必要はなく、用紙搬送部の用紙除去スペースに用紙を搬送などする場合と比較して容易に用紙を除去することができる。
【図面の簡単な説明】
【００７７】
【図１】本発明の一実施形態にかかる複合機の全体概略断面図。
【図２】紙詰まり処理機構を示す全体斜視図。
【図３】紙詰まり処理機構の断面図。
【図４】用紙巻き付け部材の第１側部及び第２側部の断面図。
【図５】接触部材の全体図。
【図６】接触部材移動機構の全体図。
【図７】用紙巻き付け部材から用紙を取り除いた状態を示す図。
【図８】他の実施形態に示す紙詰まり処理機構を示す斜視図。
【図９】他の実施形態に係る第１側部及び第２側部を示す図。
【図１０】他の実施形態に係る第１側部及び第２側部を示す図。
【図１１】他の実施形態に係る第１側部及び第２側部を示す図。
【符号の説明】
【００７８】
１  複合機（用紙処理装置）
２  用紙後処理装置
４  画像形成部（用紙処理部）
６  第１用紙搬送部（用紙搬送部）
９  紙詰まり処理機構
２２  第２用紙搬送部（用紙搬送部）
２３  ステイプル処理部（用紙後処理部）
６１  第１用紙搬送ガイド対
９１  用紙巻き付け部材
９２  用紙除去機構
２２１  第２用紙搬送ガイド対
９１１  第１側部
９１１ａ  第１板状部
９１１ｂ  第１突出部
９１１ｅ  第１ガイド部
９１２  第２側部
９１２ａ  第２板状部
９１２ｂ  第２突出部
９１２ｅ  第２ガイド部
９１３  回転部
９２１  接触部材
９２１ａ  接触突出部
９２１ｂ  切り欠き
９２２  接触部材移動機構
【図１】
2009222864.tif 000003
【図２】
2009222864.tif 000004
【図３】
2009222864.tif 000005
【図４】
2009222864.tif 000006
【図５】
2009222864.tif 000007
【図６】
2009222864.tif 000008
【図７】
2009222864.tif 000009
【図８】
2009222864.tif 000010
【図９】
2009222864.tif 000011
【図１０】
2009222864.tif 000012
【図１１】
2009222864.tif 000013